(57)【要約】【課題】折り畳み、組み立て可能な収納箱の提供。【解決手段】折り畳み、組み立て可能な収納箱は、軟性の布材により硬質の板状材料を被覆してなる箱体で、箱体の前方と後方はそれぞれ開口を有し、残りの各面は面材を有し、各面材の間は相対湾折ができ、後開口の相隣する両辺は後面材を有し、L字型を呈する両辺と後開口辺縁はファスナーを設置する。前開口から後開口に向かって容置空間を延伸し、容置空間内に複数の隔板を設置して複数の空間を区切る。前記後面材のファスナーが開くと硬質の支承板を放入し、箱体を組み立てる。【選択図】    図１
0003129069.tif 000002
【実用新案登録請求の範囲】
【請求項１】
折り畳み、組み立て可能な収納箱であって、
硬質の材料を利用してなり、上面材、前記上面材左右に連接する左右面材、及び、前記左右面材に連接する下面材、からなり、各面材の連接箇所は湾折でき、前端、後端にそれぞれ、前開口と後開口を有し、前記前開口から後開口に向かって容置空間を延伸し、前記容置空間内に複数の隔板を設置して複数の空間を区切り、前記後面材と前記隔板間に支承板を設置し、前記後開口の相隣する両辺と対応する前記後面材の相隣両辺は連接し、前記後開口と前記後面材のもう一つの相隣する両辺は、開閉装置を設置する箱体からなることを特徴とする折り畳み、組み立て可能な収納箱。
【請求項２】
前記開閉装置は、L字型のファスナーであることを特徴とする請求項１に記載の折り畳み、組み立て可能な収納箱。
【請求項３】
前記隔板は、十字型に交錯するか、或いは、複数の十字型の縦板と横板を有し、前記縦板の相対する両辺は、それぞれ、前記上面材と下面材に連接し、前記横板の相対する両辺は、それぞれ、前記左右面材に連接することを特徴とする請求項１、或いは、２に記載の折り畳み、組み立て可能な収納箱。
【請求項４】
前記縦板の長さは前記横板より短く、前記縦板と前記後面材の間は大きな空間を有することを特徴とする請求項３に記載の折り畳み、組み立て可能な収納箱。
【請求項５】
前記支承板の中央に、左右両側に貫通する折線を有し、前記折線から前記支承板の対称両側の長さは、前記縦板と前記後面材の間の距離より短いか、或いは、等しいことを特徴とする請求項４に記載の折り畳み、組み立て可能な収納箱。  
【考案の詳細な説明】
【技術分野】
【０００１】
本考案は、折り畳み、組み立て可能な収納箱の関する。
【背景技術】
【０００２】
居住空間において、収納箱は小物、衣類等の物品を収納する貯蔵容器である。公知の収納箱はプラスチック、木材、金属等の硬式材料を採用してなり、よって、不使用時に折り畳んで占有空間を減少させることができない。メーカーも出荷時に包装材料を縮小して運輸やストックに便利性を提供できない。収納棚は組み立て式で、消費者が購入後、自身で組み立てることができるが、非常に面倒であり、且つ、硬質のパーツが多いので、多量の包装材料を使用する。
【考案の開示】
【考案が解決しようとする課題】
【０００３】
本考案は、公知の収納箱が不使用時に体積を縮小できない欠点を改善することを目的とする。
【０００４】
本考案は、公知の分解式収納箱の組み立て、或いは、分解時の面倒、分解後の素子が大量の包装材料を使用して製造コストが高くなり、環境保全の要求に符合しない欠点を改善することをもう一つの目的とする。
【課題を解決するための手段】
【０００５】
上述の目的を達成するため、本考案は、軟性の布材により硬質材料の外面を被覆して、箱体を形成し、箱体前方と後方はそれぞれ、前開口と後開口を有し、残りの各面は面材を有し、各面材の間は相対湾折ができ、前開口は後開口に向かって置物空間を延伸形成し、後開口の相隣する両辺は後面材の相隣両辺を固定し、後開口と後面材のもう一つの相隣する両辺は、ファスナーやマジックテープ（登録商標）等の開閉装置を設置する。開閉装置が開く時、硬質の支承板を箱体後端から置き入れ、取り出しして、そのご閉鎖し、箱体を支承して使用可能状態にする。
【０００６】
更に、本考案は、箱体の置物空間に隔板を設置し、複数の小空間を隔て、隔板は、十字型に交錯した縦板と横板を有する。相対する両辺は、それぞれ、上面材と下面材の縦板を連接する。或いは、相対する両辺は、それぞれ、左面材と右面材の横板を連接する。
【考案の効果】
【０００７】
本考案の箱体は、軟質の布材を採用して硬質の板状材料を被覆してなり、巧妙な支承板と隔板により支承と隔間を提供し、組み立てが非常に便利で、不使用時には折り畳むことができる。
【考案を実施するための最良の形態】
【０００８】
図１は、本考案の折り畳み、組み立て可能な収納箱を示し、軟性の布材を表面材料とし、軟性布材により複数の板状の硬質材料を被覆して、箱体１を形成する。箱体１は上面材１１、上面材１１の左右両辺に連接された左右面材１３、１４、左右面材１３、１４に連接された下面材１２、からなる。箱体１の前後両端にそれぞれ、前開口１６と後開口１５を有し、前開口１６から後開口１５に向かって置物空間を延伸する。各面材は縫製により連接されるので、連接箇所は相対湾折ができる。後開口１５の相隣する両辺は縫合方式により後面材１５１と連接し、後開口１５と後面材１５１の未連接の相隣する両辺は開閉装置を設置し、開閉装置はファスナー１５２、或いは、マジックテープ（登録商標）（図示しない）である。開閉装置が閉まる時、箱体の後開口が閉鎖し、L字型開口を形成する。
【０００９】
箱体１は軟性布材により硬質板材を被覆してなり、且つ、各面材の間は相互に湾折するので、組み立て後、硬質素子により支承しないと物品を放置できない。よって、本考案は、箱体１後端に装着する硬質支承板２を提供し、支承板２の長さと幅は箱体１の後開口１５の内径とほぼ等しい。ファスナー１５２、或いは、マジックテープ（登録商標）が開く時、支承板２をL字型開口から後開口１５内に放入し、その後、ファスナー１５２、或いは、マジックテープ（登録商標）を開くと、箱体１が起立し、箱体１が崩れるのを防止する。
【００１０】
不使用時、ファスナー１５２、或いは、マジックテープ（登録商標）を開き、支承板２を箱体から取り出し、箱体１を扁平に折りたたむ（図９で示される）。
【００１１】
更に、本考案は、箱体１の内空間中に隔板３を設置し、内空間を更に小さい空間に区切り、小物の分類収納に便利である。隔板３は縫製により箱体１の内側面に固定される。隔板３と箱体１の内側面にマジックテープ（登録商標）（図示しない）を設置して、粘着固定してもよい。この方式は取り外しに便利である。図１と図２で示される実施例は、隔板３は十字型設計であり、内空間を複数に区切ることができる。
【００１２】
図３は、箱体１内に一字型の縦板３Aを設置し、複数の折線４１を有する可動隔板４を提供し、可動隔板４は折線４１に沿って門型に湾折されて、箱体内への放入が容易で、更に多くの空間を区切る（図４で示される）。
【００１３】
前述の正方形の箱体以外に、本考案は、図５で示されるような横状の直方体でもよく、内部に複数の縦板３Aを設置し、更に、複数の横板３Bを設置して、小空間を区切ってもよい（図５Aで示される）。箱体後端は同様に、前述の方式でL字型の開閉装置を有する後面材を設置する。本考案は図６のような形状にも設計でき、内部に複数の横板３Bを設置する。更に、縦板３Aにより複数の小空間を区切ってもよい（図６Aで示される）。
【００１４】
図１の構造によると、本考案は、図７で示されるように、支承板２の中央に、左右両側を貫通する折線２１を設置し、十字型に交錯した隔板３の縦板３Aの長さは、横板３Bより短く、縦板３Aと後面材１５１間に比較的大きな空間を有する。この構造により、不使用時、ファスナー１５２を開けて、支承板２を取り出し、支承板２を折線２１に沿って湾折し、支承板２を横板３B上に重畳し（図８で示される）、箱体を扁平状に折り畳みことができる。
【図面の簡単な説明】
【００１５】
【図１】本考案の第一実施例の立体分解図である。
【図２】図１の素子組み合わせ後の状態の立体図である。
【図３】本考案の第二実施例の立体分解図である。
【図４】図３の可動隔板を門状に湾折した実施例の立体図である。
【図５】本考案の実施例による立体図である。
【図５Ａ】図５の箱体内に複数の横板を設置した実施例の立体図である。
【図６】本考案の箱体の異なる形状を示す実施例の立体図である。
【図６Ａ】図６の箱体内に複数の横板を設置した実施例の立体図である。
【図７】本考案の支承板を横向き折線を有する設計にした実施例の立体図である。
【図８】図７の支承板を箱体内に設置し、水平状態に湾折した実施例の立体図である。
【図９】本考案の箱体を扁平状に折り畳んだ状態図である。
【符号の説明】
【００１６】
１        箱体
１１      上面材
１２      下面材
１３      左面材
１４      右面材
１５      後開口
１５１    後面材
１５２    ファスナー
１６      前開口
２        支承板
２１      折線
３        隔板
３A      縦板
３B      横板
４        可動隔板
４１      折線
【図１】
0003129069.tif 000003
【図２】
0003129069.tif 000004
【図３】
0003129069.tif 000005
【図４】
0003129069.tif 000006
【図５】
0003129069.tif 000007
【図５Ａ】
0003129069.tif 000008
【図６】
0003129069.tif 000009
【図６Ａ】
0003129069.tif 000010
【図７】
0003129069.tif 000011
【図８】
0003129069.tif 000012
【図９】
0003129069.tif 000013